(57)【要約】      （修正有）【課題】汎用されているカメラ用三脚にカメラ機能付き携帯電話を取り付けてセルフタイマーでぶれることなく写真を撮るための携帯電話の三脚用取付具を提供する。【解決手段】下面にカメラ用三脚Ｂに突出した雄ネジＢａに螺合する取付用雌ネジ１ａａを設けた基体底面１ａと、基体両側面１ｂと、基体上面１ｃとで断面略コ字状に形成した基体１と、該基体１に立設した基体端辺面１ｄと、該基体端辺面１ｄに延設した基体側挟持部１ｄａと、基体１に摺動可能に内装したスライド部材２と、該スライド部材２に延設したスライド部材側挟持部２ａと、基体端辺面１ｄに穿設した貫通孔１ｄｂと、スライド部材２に螺設したネジ孔２ｂと、貫通孔１ｄｂに挿通させネジ孔２ｂに螺合するネジ棒３とを備えたものである。【選択図】図１
0003163056.tif 000002
【実用新案登録請求の範囲】
【請求項１】
カメラ機能付き携帯電話をカメラ用三脚に取り付ける取付具であって、下面にカメラ用三脚に突出した雄ネジに螺合する取付用雌ネジを設けた基体底面と、該基体底面の長手方向に沿った両側辺に夫々立設した基体両側面と、該夫々の基体両側面の上方辺に基体底面と平行に夫々相対させて膨出させた夫々の基体上面と、前記基体底面と前記基体両側面と前記基体上面とで断面略コ字状に形成した基体と、該基体の片方端辺に立設した基体端辺面と、該基体端辺面の上方に延設した基体側挟持部と、前記基体の内側の長手方向に摺動可能に内装したスライド部材と、該スライド部材の上方に延設したスライド部材側挟持部と、前記基体端辺面に穿設した貫通孔と、該貫通孔と同芯状に前記スライド部材に螺設したネジ孔と、前記貫通孔に挿通させ前記ネジ孔に螺合する一端に摘みを設けたネジ棒と、を備えたことを特徴とする携帯電話の三脚用取付具。
【考案の詳細な説明】
【技術分野】
【０００１】
本考案は、携帯電話の三脚用取付具に関するものであり、更に詳細には、汎用されているカメラ用三脚にカメラ機能付き携帯電話を取り付けてセルフタイマーでぶれることなく写真を撮るための携帯電話の三脚用取付具に関するものである。
【背景技術】
【０００２】
昨今の殆どの携帯電話にはカメラ機能が組み込まれており、あらゆる場面で手軽にカメラ機能が使用されているが、撮影後、直ぐに写真を携帯メールで送信したいような場合に、自分で撮影するときは手で持って撮影するため近距離の撮影しかできず、また、人に依頼して撮影しても手ぶれのため写真がクリアに写せないとか課題を有していた。
【０００３】
その為に、例えば、カメラつき携帯電話のボディを載置すべき受支面を有する台と、上記台に、該受支面に載置した携帯電話のボディを着脱自在に挾持すべく設けられた挾持手段と、上記台の上記受支面と反対の面に、従来の三脚における雲台に突設されたカメラ取付け用オネジと螺合すべく設けられたメネジと、からなるもの（特許文献１参照）や、三脚アダプタ１は、基体部１０と、支持部１２と、ネジ留め部１３とを含む。支持部１２は、携帯電話機の外部接続端子に嵌合可能な形状を有している。ネジ留め部１３は、三脚の止めネジをネジ留め可能なネジ穴を有している。基体部１０は、第１及び第２の面１０１、１０２を有する成形体であって、第１の面１０１には支持部１２が備えられ、第２の面１０２にはネジ留め部１３が備えられているもの（特許文献２参照）や、携帯電話（１）を乗せる置き台（３）と、携帯電話を安定的に支持する支持手段（４）と、前記置き台の下面から伸びる少なくとも３本の伸縮式脚部（５）とからなる。携帯電話（１）のサイズに合わせて支持手段（４）は調節可能である。例えば、支持手段（４）は置き台の左右端部に位置する壁であり、置き台（３）に設けられたレール（３２）に沿って携帯電話の長手方向及びそれと垂直な方向にスライド可能であるもの（特許文献３参照）が開示されている。
【特許文献１】実用新案登録第３０９５７４０号公報
【特許文献２】特開２００６−２５４１８６号公報
【特許文献３】特開２００４−１０１７４９号公報
【考案の開示】
【考案が解決しようとする課題】
【０００４】
然し乍ら、特許文献１に記載のものは、挾持手段はスプリングにより携帯電話の幅方向を挟持板より挟持させるため安定性に欠け、更に、特許文献２に記載のものは、支持部１２を携帯電話機の外部接続端子に嵌合させて使用するもので、多用すると外部接続端子に悪影響を与え、また、外部接続端子は携帯電話のメーカーや機種により相違しており、汎用できるものでは無いものであり、更には、特許文献３に記載のものは、携帯電話用の三脚であり、その都度持ち歩かなければ成らず、汎用されているカメラ用三脚で使用できるものでは無いもので、夫々に課題を有するものである。
【課題を解決するための手段】
【０００５】
本考案は、前述の課題に鑑み、鋭意研鑽の結果、カメラ機能付き携帯電話をカメラ用三脚に取り付ける取付具であって、下面にカメラ用三脚に突出した雄ネジに螺合する取付用雌ネジを設けた基体底面と、基体底面の長手方向に沿った両側辺に立設した基体両側面と、基体両側面の上方辺に基体底面と平行に膨出させた基体上面と、基体底面と基体両側面と基体上面とで断面略コ字状に形成した基体と、基体の片方端辺に立設した基体端辺面と、基体端辺面の上方に延設した基体側挟持部と、基体の内側の長手方向に摺動可能に内装したスライド部材と、スライド部材の上方に延設したスライド部材側挟持片と、基体端辺面に穿設した貫通孔と、貫通孔と同芯状にスライド部材に螺設したネジ孔と、貫通孔に挿通させネジ孔に螺合する一端に摘みを設けたネジ棒と、を備えたものである。
【考案の効果】
【０００６】
本考案の携帯電話の三脚用取付具は、汎用されているカメラ用三脚の取付用ネジに取り付けて、基体の内側の長手方向に摺動可能に内装したスライド部材をネジ棒により摺動させて基体側挟持部とライド部材側挟持部とによりカメラ機能付き携帯電話を挟持させるもので、簡易に、且つ、強固に安定して取り付けることができ、また、手の届かない距離でも、ぶれが無く撮影でき、撮影後直ぐに写真をメール送信できるもので、実用性の高い画期的な考案である。
【考案を実施するための最良の形態】
【０００７】
以下、本考案の携帯電話の三脚用取付具の実施の形態の図面によって具体的に説明すると、図１は本考案の携帯電話の三脚用取付具の実施例を説明するための長手方向の中心線断面図であり、図２は本考案の携帯電話の三脚用取付具の実施例を説明するための平面図であり、図３は本考案の携帯電話の三脚用取付具の実施例を説明するための側面図である。
【０００８】
本考案は、携帯電話の三脚用取付具に関するものであり、更に詳細には、汎用されているカメラ用三脚にカメラ機能付き携帯電話を取り付けてセルフタイマーでぶれることなく写真を撮るための携帯電話の三脚用取付具に関するものであり、カメラ機能付き携帯電話Ａをカメラ用三脚Ｂに取り付ける取付具であって、下面にカメラ用三脚Ｂに突出した雄ネジＢａに螺合する取付用雌ネジ１ａａを設けた基体底面１ａと、該基体底面１ａの長手方向に沿った両側辺に夫々立設した基体両側面１ｂと、該夫々の基体両側面１ｂの上方辺に基体底面１ａと平行に夫々相対させて膨出させた夫々の基体上面１ｃと、前記基体底面１ａと前記基体両側面１ｂと前記基体上面１ｃとで断面略コ字状に形成した基体１と、該基体１の片方端辺に立設した基体端辺面１ｄと、該基体端辺面１ｄの上方に延設した基体側挟持部１ｄａと、前記基体１の内側の長手方向に摺動可能に内装したスライド部材２と、該スライド部材２の上方に延設したスライド部材側挟持部２ａと、前記基体端辺面１ｄに穿設した貫通孔１ｄｂと、該貫通孔１ｄｂと同芯状に前記スライド部材２に螺設したネジ孔２ｂと、前記貫通孔１ｄｂに挿通させ前記ネジ孔２ｂに螺合する一端に摘み３ａを設けたネジ棒３と、を備えたことを特徴とするものである。
【実施例】
【０００９】
即ち、本考案の携帯電話の三脚用取付具は、汎用されているカメラ用三脚Ｂに、市販されているあらゆるメーカー、あらゆる機種のカメラ機能付き携帯電話Ａを取り付けられる取付具に関するものである。
【００１０】
そして、基体１は合成樹脂等により一体に形成されるもので、図１〜３に図示するように、基体底面１ａと基体両側面１ｂと基体上面１ｃとから成り断面略コ字状もので、若干の長さを有する長方形のもので、基体底面１ａは下面を膨出させてカメラ用三脚Ｂに突出した雄ネジＢａに螺合する取付用雌ネジ１ａａを埋設させおり、基体両側面１ｂは基体底面１ａの長手方向に沿った両側辺に夫々直角に立設しており、基体上面１ｃは夫々の基体両側面１ｂの上方辺に基体底面１ａと平行に夫々相対させて膨出させているものである。
【００１１】
次に、基体端辺面１ｄは、基体１の片方端辺に断面略コ字状の開口を塞ぐように立設しているもので、上方には後述する基体側挟持部１ｄａを延設しているものである。
【００１２】
次いで、基体側挟持部１ｄａは、基体端辺面１ｄの上方に延設しているもので後述するスライド部材側挟持部２ａと共に、携帯電話の下端辺を挟持するものである。
【００１３】
更に、スライド部材２は、基体１の断面略コ字状の内側の長手方向に摺動可能に内装された立方体で、中心には後述するネジ棒３を貫通可能に螺合させるネジ孔２ｂを設けているもので、後述するスライド部材側挟持部２ａと共に基体１に対峙して膨出させた夫々の基体上面１ｃをレール状に嵌入させる横溝を両側に形成して離脱しないで摺動するようにしているものである。
【００１４】
更には、スライド部材側挟持部２ａは、スライド部材２の上方に延設しているもので、前記基体側挟持部１ｄａと共にカメラ機能付き携帯電話Ａの下端辺を挟持するもので、挟持する夫々の相対する面にはしっかりと挟持するようにクッション材を貼設しているものである。
【００１５】
そして、貫通孔１ｄｂは、基体端辺面１ｄの基体１の断面略コ字状とした略中央位置に穿設しているもので、ネジ孔２ｂは、スライド部材２の略中央位置に貫通可能に螺設した雌ネジであり、貫通孔１ｄｂとネジ孔２ｂとは同芯状に設けているもので、後述するネジ棒３を挿通するものである。
【００１６】
次に、ネジ棒３は、一端に摘み３ａを設け全長にわたりネジを螺設しており、貫通孔１ｄｂに挿通させると共に、ネジ孔２ｂに螺合させているものである。
【００１７】
つまり、本考案の携帯電話の三脚用取付具は、カメラ用三脚Ｂに突出した雄ネジＢａに基体底面１ａの下面に設けた取付用雌ネジ１ａａを螺合させ、基体１の基体端辺面１ｄに穿設した貫通孔１ｄｂとスライド部材２に螺設したネジ孔２ｂと挿通させたネジ棒３の摘み３ａを回転させることによりスライド部材２が摺動し、基体側挟持部１ｄａとスライド部材側挟持部２ａとの間にカメラ機能付き携帯電話Ａの下端を挟持させるものである。
【産業上の利用可能性】
【００１８】
本考案は、汎用されているカメラ用三脚の取付用ネジに取り付けて、基体の内側の長手方向に摺動可能に内装したスライド部材をネジ棒により摺動させて基体側挟持部とライド部材側挟持部とにより挟持させるもので、簡易に、且つ、強固に安定して取り付けることができ、また、手の届かない距離でも、ぶれが無く撮影でき、撮影後直ぐに写真をメール送信できる携帯電話の三脚用取付具を提供するものである。
【図面の簡単な説明】
【００１９】
【図１】図１は本考案の携帯電話の三脚用取付具の実施例を説明するための長手方向の中心線断面図である。
【図２】図２は本考案の携帯電話の三脚用取付具の実施例を説明するための平面図である。
【図３】図３は本考案の携帯電話の三脚用取付具の実施例を説明するための側面図である。
【符号の説明】
【００２０】
Ａ      カメラ機能付き携帯電話
Ｂ      カメラ用三脚
Ｂａ    雄ネジ
１      基体
１ａ    基体底面
１ａａ  取付用雌ネジ
１ｂ    基体両側面
１ｃ    基体上面
１ｄ    基体端辺面
１ｄａ  基体側挟持部
１ｄｂ  貫通孔
２      スライド部材
２ａ    スライド部材側挟持部
２ｂ    ネジ孔
３      ネジ棒
３ａ    摘み
【図１】
0003163056.tif 000003
【図２】
0003163056.tif 000004
【図３】
0003163056.tif 000005